(57)【要約】【課題】  接着剤を用いずにフレキシブルデジタイザセンサボード上に遮蔽膜を統合し、厚さと重さを低減する多機能デジタイザモジュールボードを提供する。【解決手段】  表面上の位置ポインタ、または指接触の位置を感知するフレキシブルデジタイザセンサボード、および接着材料なしに、デジタイザセンサボードの一つの表面に統合され、外部雑音を排除する遮蔽膜を含む多機能デジタイザモジュールボード。【選択図】      図３
2006190287.tif 000002
【特許請求の範囲】
【請求項１】
表面上の位置ポインタ、または指接触の位置を感知するフレキシブルデジタイザセンサボード、および
接着材料なしに、デジタイザセンサボードの一つの表面に統合され、外部雑音を排除する遮蔽膜を含む多機能デジタイザモジュールボード。
【請求項２】
前記デジタイザセンサボードのその他の表面に積層され、光を反射する反射膜を更に含む請求項１に記載の多機能デジタイザモジュールボード。
【請求項３】
前記遮蔽膜と前記デジタイザセンサボードの間に形成される第一保護膜、前記反射膜と前記デジタイザセンサボードの間に形成される第二保護膜を更に含む請求項２に記載の多機能デジタイザモジュールボード。
【請求項４】
接着材料によって、前記遮蔽膜に積層された隔離板を更に含む請求項２に記載の多機能デジタイザモジュールボード。
【請求項５】
前記遮蔽膜と前記反射膜は、半導体プロセスによって、前記デジタイザセンサボードに統合される請求項２に記載の多機能デジタイザモジュールボード。
【請求項６】
前記遮蔽膜は、物理的気相成長法、またはスパッタリング法によって、前記デジタイザセンサボードに統合される請求項５に記載の多機能デジタイザモジュールボード。
【請求項７】
前記デジタイザセンサボードは、フレキシブル基板上にプリントされたセンサアレイを含む請求項１に記載の多機能デジタイザモジュールボード。
【請求項８】
前記センサアレイは、スクリーンプリント、またはインクジェットプリントによってフレキシブル基板上にプリントされる請求項７に記載の多機能デジタイザモジュールボード。
【請求項９】
前記フレキシブル基板は、ポリエチレンテレフタレート（ＰＥＴ）、またはセルローストリアセテート（ＴＡＣ）を含む請求項７に記載の多機能デジタイザモジュールボード。
【請求項１０】
請求項１に記載の多機能デジタイザモジュールボード、および
前記多機能デジタイザモジュールボードに設置され、それに接続され、画像を表示する表示パネルを含むディスプレイシステム。
【請求項１１】
前記表示パネルに接続されたバックライトモジュールを更に含む請求項１０に記載のディスプレイシステム。
【請求項１２】
前記表示パネルと前記多機能デジタイザモジュールボードに接続され、インターフェースを介してホストシステムからの画像信号に基づいて、表示パネルを駆動し、前記多機能デジタイザモジュールにスキャンタイミング信号を発生する制御ユニットを更に含む請求項１０に記載のディスプレイシステム。
【請求項１３】
前記多機能デジタイザモジュールは、スキャンタイミング信号に応じて、表面上のスタイラス、または指接触の位置を検出する感知動作を行う請求項１２に記載のディスプレイシステム。
【請求項１４】
前記画像信号は、画像データとクロック信号を含み、前記制御ユニットは、前記クロック信号に基づいて、前記スキャンタイミング信号を発生する請求項１３に記載のディスプレイシステム。
【請求項１５】
前記制御ユニットは、前記表示パネル上にチップオンガラス（ＣＯＧ）によって設置される請求項１２に記載のディスプレイシステム。
【請求項１６】
前記制御ユニットは、フレキシブルプリント回路板（ＦＰＣ）に設置される請求項１２に記載のディスプレイシステム。
【請求項１７】
前記表示パネルは、ＬＣＤパネル、ＯＬＥＤパネル、または電界放出ディスプレイ（ＦＥＤ）パネルである請求項１２に記載のディスプレイシステム。
【請求項１８】
請求項１０に記載のディスプレイシステム、および
前記ディスプレイシステムに有効的に接続され、前記ディスプレイシステムが映像を表示できるように電力を供給するＤＣ／ＤＣコンバータを含む電子装置。
【請求項１９】
前記電子装置は、ディスプレイモニタ、ノート型パソコン、タブレットコンピュータ、携帯電話、またはＰＤＡである請求項１８に記載の電子装置。
【請求項２０】
デジタイザセンサボードを提供するステップ、および
半導体プロセスによって、前記デジタイザセンサボードの一つの表面に遮蔽膜を形成するステップを含む多機能デジタイザモジュールボードの製造方法。
【請求項２１】
堆積プロセスによって、前記デジタイザセンサボードのもう一つの表面に反射膜を形成するステップを更に含む請求項２０に記載の製造方法。
【請求項２２】
前記遮蔽膜と前記デジタイザセンサボードの間に形成される第一保護膜を形成するステップ、および
前記反射膜と前記デジタイザセンサボードの間に形成される第二保護膜を形成するステップを更に含む請求項２１に記載の製造方法。
【請求項２３】
接着材料によって、前記遮蔽膜に積層された隔離板を形成するステップを更に含む請求項２０に記載の製造方法。
【請求項２４】
前記遮蔽膜は、物理的気相成長法、またはスパッタリング法によって、前記デジタイザセンサボードに形成される請求項２０に記載の製造方法。
【請求項２５】
前記デジタイザセンサボードは、フレキシブル基板上にプリントされたセンサアレイを含む請求項２０に記載の製造方法。
【請求項２６】
前記センサアレイは、スクリーンプリント、またはインクジェットプリントによってフレキシブル基板上にプリントされる請求項２５に記載の製造方法。
【請求項２７】
前記フレキシブル基板は、ポリエチレンテレフタレート（ＰＥＴ）、またはセルローストリアセテート（ＴＡＣ）を含む請求項２６に記載の製造方法。
【発明の詳細な説明】
【技術分野】
【０００１】
本発明は、ディスプレイシステムに関し、特に、多機能デジタイザモジュールボードを有するディスプレイシステムに関するものである。
【背景技術】
【０００２】
例えば、デジタイザなどの多くのタイプのタッチセンサ装置が現在、コンピュータのディスプレイに、またはコンピュータのディスプレイと併せて用いられている。これらのタッチセンサ装置は、位置ポインタの位置を測定するか、またはセンサ表面に指接触して座標を発生し、コンピュータとの相互作用をする。例えば、これらの装置は、ディスプレイのアイコン、メニューアイテム、画像編集と、手書きの文字と図形の入力フィードバックを選ぶ。
【０００３】
これらのタッチセンサ装置は、容量センサ、伝導性オーバーレイシートを用いた抵抗センサ、赤外線センサ、音波センサと、圧電力センサを含む多種の技術を用いることができる。例えば、ペンなどのハードワイヤードの手持ち式位置ポインタを用いたデジタイザは、一般的に、電磁、静電、抵抗、または超音波センサを用いることができる。
【０００４】
人との接触に反応するタッチセンサ装置は、一般的に、例えば、ディスプレイのアイコンとメニューアイテムの選択などのカーソル移動制御に用いられ、位置ポインタ（通常、ハードワイヤードのペン）に反応する装置は、図面、設計図、または原版を作成、または描くのに用いられる。これらのタッチセンサ装置は、文字、または手書き文字認識にも用いられる。よって、タッチセンサ装置がいくつかの目に見える手段によって位置ポインタの経路を再現し、ビジュアルフィードバックを提供することが望ましい。
【０００５】
いくつかのタッチセンサ装置は、ユーザーと位置ポインタ接触の両方に反応するため、例えば、画面に書き込む時に、位置ポインタベースの入力の便利性と、位置ポインタが必要でないタッチ入力の簡便性も提供する。
【０００６】
図１は、デジタイザを有する従来の表示装置の構造図である。図に示すように、表示装置２００は、最外層ガラスカバー２１０、液晶ディスプレイ（ＬＣＤ）パネル２２０、バックライトモジュール２３０、反射板２４０、デジタイザセンサボード２５０、遮蔽膜２６０、バックフレーム２７０と位置ポインタ２８０を含む。最外層ガラスカバー２１０、ＬＣＤパネル２２０、バックライトモジュール２３０、反射板２４０、デジタイザセンサボード２５０、遮蔽膜２６０と、バックフレーム２７０は、積層構造に組み立てられ、デジタイザセンサボード２５０と位置ポインタ２８０は、デジタイザを構成する。ＬＣＤパネル２２０とデジタイザセンサボード２５０は、例えば、二つのフレキシブルプリント回路板（ＦＰＣ）など、異なるインターフェースを介して外部ホストシステムに接続される。図２は、ＬＣＤモジュール１１０とデジタイザモジュールボード１２０を含む従来のディスプレイシステム１００の回路図である。ＬＣＤパネル２２０とデジタイザモジュールボード１２０は、対応するインターフェース１１２と１２２を介してそれぞれホストシステム１３０に接続される。デジタイザモジュールボード１２０は、スキャンタイミング信号を選択回路１２８に発生するマイクロコントローラ１２６に設置された発振器１２４を必要とし、よって、デジタイザのセンサアレイ１２９のスキャン動作を行う。従来のディスプレイシステムの反射板、デジタイザセンサボード、遮蔽膜と、バックフレームが個別の構成部品であることから、ＬＣＤパネルとデジタイザセンサボードは、外部ホストシステムに接続された異なるインターフェースを必要とし、従来のディスプレイシステムは、比較的高いコスト、厚さと、重さとなる。
【発明の開示】
【発明が解決しようとする課題】
【０００７】
本発明は、接着剤を用いずにフレキシブルデジタイザセンサボード上に遮蔽膜を統合し、厚さと重さを低減する多機能デジタイザモジュールボードを提供する。
【課題を解決するための手段】
【０００８】
本発明の一つの態様では、フレキシブルデジタイザセンサボードは、表面上の位置ポインタ、または指接触の位置を感知し、遮蔽膜は、半導体プロセスによってデジタイザセンサボードの一つの表面に統合される。
【０００９】
もう一つの態様では、本発明は、画像を表示するＬＣＤパネルと表面上の位置ポインタ、または指接触の位置を感知する多機能デジタイザモジュールボードのディスプレイシステムの実施例を挙げる。
【００１０】
もう一つの態様では、本発明は、フレキシブルデジタイザセンサボードと、表面上の位置ポインタ、または指接触の位置を感知するために提供された遮蔽膜を含み、遮蔽膜は、接着材料なしに、デジタイザセンサボードに積層される多機能デジタイザモジュールボードのディスプレイシステムの製造方法を挙げる。ＬＣＤパネルは、上述の多機能デジタイザモジュールボードの上に設置される。
【発明の効果】
【００１１】
本発明の多機能デジタイザモジュールボードを有するディスプレイシステムによれば、ディスプレイシステムが遮蔽膜と反射膜（必要に応じて）に統合したフレキシブルデジタイザセンサボードのみを必要とし、且つ、単一インターフェースを用いて、多機能デジタイザモジュールボードのマイクロコントローラ、ＡＤＣと、ＬＣＤモジュールのタイミングコントローラ、電圧調整回路と、ＤＡＣを表示パネルのそれに統合することができることから、低減した厚さと重さを提供することができる。
【発明を実施するための最良の形態】
【００１２】
本発明についての目的、特徴、長所が一層明確に理解されるよう、以下に実施形態を例示し、図面を参照にしながら、詳細に説明する。
【実施例】
【００１３】
図３は、多機能デジタイザモジュールボードの実施例を表している。図に示すように、多機能デジタイザモジュールボード４４０は、最外層保護膜４５６、反射膜４５４、第一保護膜４５２、フレキシブルデジタイザセンサボード４４２、第二保護膜４４４、遮蔽膜４４６と、隔離板４５０を含み、上保護膜、第一と第二保護膜は、ＳｉＯｘまたはＳｉＮｘであることができる。この実施例では、上保護膜４５６、反射膜４５４と、遮蔽膜４４６は、フレキシブルデジタイザセンサボード４４２に統合される。この場合、第一保護膜４５２は、半導体プロセスによって、フレキシブルデジタイザセンサボード４４２と反射膜４５４の間に形成され、第二保護膜４４４は、遮蔽膜４４６とフレキシブルデジタイザセンサボード４４２の間に形成される。
【００１４】
フレキシブルデジタイザセンサボード４４２のセンサは、例えば、容量センサ、抵抗センサ、赤外線センサ、音波センサ、圧電力センサ、静電センサ、または超音波センサであることができ、表面上の位置ポインタ、または指接触の位置を感知する。いくつかの実施例では、フレキシブルデジタイザセンサボード４４２は、例えば、ポリエチレンテレフタレート（ＰＥＴ）、またはセルローストリアセテート（ＴＡＣ）のフレキシブル基板の上にプリントされたセンサアレイ、または金属コイル格子（ｍｅｔａｌ ｃｏｉｌ ｇｒｉｄｓ）を含む。センサアレイ、または金属コイル格子は、大面積用のスクリーンプリント、または小面積用のインクジェットプリントによってフレキシブル基板の上にプリントすることができるが、本発明を限定するものではなく、デザインによって決めることができる。例えば、伝導性金属（例えば、銀または銅を基に形成の）ペースト、またはインクをスクリーンプリント、またはインクジェットプリントに用いることができる。
【００１５】
第二保護膜４４４は、半導体プロセスによって、フレキシブルデジタイザセンサボード４４２の底面上に形成される。遮蔽膜４４６は、半導体プロセスによって、第二保護膜４４４の表面上に統合され、外部雑音を排除する。遮蔽膜４４６は、例えば、Ｆｅ−Ｎｉ、Ｆｅ−Ｓｉ、またはＦｅ−Ｃｏの高磁化率を有する金属薄膜（ｔｈｉｎ ｍｅｔａｌ ｆｏｉｌ）であることができる。遮蔽膜４４６は、物理的気相成長法、またはスパッタリング法によって第二保護膜４４４の表面上に統合され、高周波応用に用いることができる。
【００１６】
第一保護膜４５２は、半導体プロセスによって、フレキシブルデジタイザセンサボード４４２の底面上に形成される。反射膜４５４は、半導体プロセスによって、第一保護膜４５２の表面上に形成され、光を反射する。この場合、第一保護膜４５２、反射膜４５４と、最外層保護膜４５６は、選択可能である。いくつかの例では、フレキシブルデジタイザセンサボード４４２を平坦化した後、反射膜４５４をフレキシブルデジタイザセンサボード４４２の上に直接、堆積することもできる。または、プラスチック隔離板に堆積した後、フレキシブルデジタイザセンサボード４４２に積層することもできる。反射膜４５４は、例えば、アルミニウム、銀、その合金、または光反射強化処理を有する、異なるバリエーションの金属薄膜であることができる。
【００１７】
最外層保護膜４５６、反射膜４５４と、遮蔽膜４４６は、表示装置の組み立て中、接着材料によってでなく、半導体プロセスによって、フレキシブルデジタイザセンサボード４４２に統合される。隔離板４５０は、接着材料４４８によって遮蔽膜４４６に積層される。
【００１８】
よって、最外層保護膜４５６、反射膜４５４、第一保護膜４５２、遮蔽膜４４６、フレキシブルデジタイザセンサボード４４２、第二保護膜４４４と、隔離板４５０は、表示装置の単一の構成部品を形成する。例えば、多機能デジタイザモジュールボード４４０は、最外層保護膜４５６と隔離板４５０を取り除いた後、表示装置のバックフレーム、バックライトモジュールの真下に設置することができる。
【００１９】
図４は、本発明に基づいた多機能デジタイザモジュールボードを有する表示装置４００の構造図である。
図に示すように、表示装置４００は、最外層ガラスカバー４１０、ＬＣＤパネル４２０、バックライトモジュール、前述の多機能デジタイザモジュールボード４４０と、バックフレーム４６０を含む。ＬＣＤパネル４２０と多機能デジタイザモジュールボード４４０は、フレキシブルプリント回路基板（ＦＰＣ）のような単一のインターフェース４８０を介して外部ホストシステムに接続される。ＬＣＤパネル４２０と多機能デジタイザモジュールボード４４０は、可撓ケーブル４９０によって接続される。制御ユニット４８２は、フレキシブルプリント回路基板４８０の上に設置され、ＬＣＤパネルを駆動し、インターフェース（例えば、フレキシブルプリント回路基板４８０）を介してホストシステムからの画像信号に基づいて、スキャンタイミング信号をデジタイザモジュールボードに発生する。多機能デジタイザモジュールボード４４０は、スキャンタイミング信号に基づいてスキャン動作を行い、位置データを発生し、制御ユニット４８２は、続いて位置データに基づいて位置ポインタ３４４の対応する座標データを判別し、ホストシステムに出力する。制御ユニット４８２はまた、例えば、表示パネル４２０上にチップオンガラスによって設置されることもできる。
【００２０】
本発明の実施例では、表示パネル４２０は、ＯＬＥＤパネル、または電界放出ディスプレイ（ＦＥＤ）パネルであることもできるが、これは、本発明を限定するものではない。多機能デジタイザモジュールボード４４０は、図３に示すように、反射膜４５４、遮蔽膜４４６、フレキシブルデジタイザセンサボード４４２を統合する。よって、最外層ガラスカバー４１０上の位置ポインタ３４４を感知することができ、外部雑音、または反射光を排除することもできる。その中のフレキシブルデジタイザセンサボード４４２に基づいて、多機能デジタイザモジュールボード４４０は、容量センサデジタイザモジュールボード、抵抗センサデジタイザモジュールボード、赤外線センサデジタイザモジュールボード、音波センサデジタイザモジュールボード、または圧電力センサデジタイザモジュールボード、静電デジタイザモジュールボード、または超音波センサデジタイザモジュールボードであることもできる。
【００２１】
本発明の実施例のディスプレイシステムが遮蔽膜４４６と反射膜４５４（必要に応じて）に統合したフレキシブルデジタイザセンサボードのみを必要とすることから、個別の構成部材を有する従来の表示システムより、低減した厚さと重さを提供する。
【００２２】
ディスプレイシステム３００の実施例の回路図である。ディスプレイシステム３００は、インターフェース４８０、制御ユニット４８２、ＬＣＤパネル４２０と、多機能デジタイザモジュールボード４４０を含む。
【００２３】
インターフェース４８０は、ホストシステム６００と制御ユニット４８２の間に接続され、ホストシステムとデータ変換をする。
【００２４】
制御ユニット４８２は、インターフェース４８０、ＬＣＤパネル４２０と、多機能デジタイザモジュールボード４４０に接続される。制御ユニット４８２は、ＬＣＤパネル４２０を駆動し、インターフェース４８０を介してホストシステム６００からの画像信号（ＩＳ）に基づいて、スキャンタイミング信号（ＳＳ）を多機能デジタイザモジュールボード４４０に発生する。制御ユニット４８２は、タイミングコントローラ３２２、アナログデジタルコンバータ（ＡＤＣ）３２４、電圧調整回路３２６と、デジタルアナログコンバータ（ＤＡＣ）３２８を含む。制御ユニット４８２もまた、インターフェース４８０を介してホストシステム６００からのバス制御信号を受け、ＡＤＣ３２４、ＤＡＣ３２８と、選択回路３４６を制御する。
【００２５】
タイミングコントローラ３２２は、インターフェース４８０、ＬＣＤパネル４２０と、多機能デジタイザモジュールボード４４０に接続され、ホストシステム６００からの画像信号に基づいて、ＤＡＣ３２８によって駆動信号を発生する。一般的に、ホストシステムからの画像信号（ＩＳ）は、画像データ（ＩＤ）、クロック信号ＣＬＫＳと、共通電極Ｖｃｏｍを含み、クロック信号ＣＬＫＳは、垂直スキャン信号Ｖｓ、水平スキャン信号Ｈｓ、データイネーブル信号ＤＥと、システムクロックＣＬＫを含む。タイミングコントローラ３２２は、画像信号のクロック信号ＣＬＫＳに基づいて、例えば、垂直クロック出力ＣＫＶ、水平クロック出力ＣＫＨ、水平イネーブル出力ＥＮＢＨ、垂直イネーブル出力ＥＮＢＶ、水平スキャン指示ＣＳＨと、垂直スキャン指示ＣＳＶの基準タイミング信号を表示パネル４２０に提供する。基準タイミング信号と画像データＩＤは、駆動信号として働き、ＤＡＣ３２８に出力され、アナログ信号に変換され、表示パネル３３０を駆動する。電圧調整回路３２６は、タイミングコントローラ３２２と表示パネル４２０に接続され、共通電圧Ｖｃｏｍに基づいて、表示パネル４２０を駆動するアナログ信号の電圧値を調整する。
【００２６】
また、タイミングコントローラ３２２は、ホストシステム６００からの画像信号に基づいて、スキャンタイミング信号（ＳＳ）を多機能デジタイザモジュールボード４４０に発生する。多機能デジタイザモジュールボードに必要なスキャンタイミング信号の周波数が約１００ＫＨｓ〜３００ＫＨｓの間で、ホストシステムからの画像信号にあるクロック信号ＣＬＫＳの周波数が一般的に５ＭＨｚ〜６ＭＨｚの間であることから、本実施例は、ホストシステムからの画像信号にあるクロック信号ＣＬＫＳを低い周波数に変換し、従来のデジタイザモジュールボードのような発振器を用いることなく、適当な周波数のスキャンタイミング信号ＳＳを得る。よって、この実施例では、多機能デジタイザモジュールボード４４０と表示パネル４２０は、単一のインターフェースを介して、ホストシステムに接続され、多機能デジタイザモジュールボード４４０のマイクロコントローラは、表示パネルに統合される。この実施例では、タイミングコントローラ３２２は、分周器３２９を含み、画像信号のクロック信号を多機能デジタイザモジュールボード４４０に適当な周波数を有するスキャンタイミング信号ＳＳに変換する。
【００２７】
ＬＣＤパネル４２０は、制御ユニット４８２に接続され、ＤＡＣ３２８からのアナログ信号に基づいて画像を表示する。ＯＬＥＤパネル、または電界放出ディスプレイ（ＦＥＤ）であることもできる。
【００２８】
多機能デジタイザモジュールボード４４０は、一般的にカーソル移動制御に用いられ、例えば、ディスプレイのアイコンとメニューアイテムの選択、図面や設計図を作成、または描く、または文字や手書き文字認識に用いられる。この実施例では、多機能デジタイザモジュールボード４４０は、同じインターフェース４８０を介してホストシステム６００に接続され、スキャン動作を行い、スキャンタイミング信号に応じて位置データＰＤを発生する。多機能デジタイザモジュールボード４４０は、デジタイザセンサアレイ３４２、選択回路３４６と、増幅器３４８を含む。いくつかの例では、デジタイザセンサアレイ３４２、選択回路３４６と、増幅器３４８は、図３に示されたフレキシブルデジタイザセンサボード４４２の上に形成される。また、選択回路３４６と増幅器３４８は、制御ユニット４８２（未表示）に統合されることができる。例えば、多機能デジタイザモジュールボード４４０は、電磁センサデジタイザモジュールボードであることができ、電磁信号は、位置ポインタ３４４から伝送され、センサアレイ３４２によって感知される。
【００２９】
例えば、デジタイザセンサアレイ３４２は、ＸとＹ方向の両方の金属コイル格子を含み、位置ポインタ３４４の位置を感知する。位置ポインタ３４４は、デジタイザセンサアレイに信号を伝送し、選択回路３４６は、制御ユニット４８２からのスキャンタイミング信号に基づいて、センサアレイ３４２のコイルのスキャン動作を行い、センサアレイ３４２で発生された信号が増幅器３４８に送られ、増幅器３４８は、センサアレイ３４２で発生された信号を増幅する。
【００３０】
増幅器３４８からの増幅された信号は、ＡＤＣ３２４に出力され、位置データＰＤに変換され、制御ユニットに出力される。制御ユニット３２２は、ポインタ３４４に関する位置データＰＤを受け、それに応じてポインタ３４４の対応する座標データＣＤを判別する。ポインタ３４４の対応する座標データＣＤは、続いてインターフェース４８０を介してホストシステム６００に出力される。例えば、制御ユニット４８２は、タイミングコントローラ３２２、ＡＤＣ３２４、電圧調整回路３２６と、ＤＡＣ３２８で統合されたシングルチップであることができる。制御ユニット４８２は、表示パネル４２０上にチップオンガラスによって設置されることもでき、または表示パネル４２０のフレキシブルプリント回路板（ＦＰＣ）に設置されることもできる。
【００３１】
図６は、タイミングコントローラの実施例を表している。タイミングコントローラ３２２は、処理装置３３１、分周器３２９、タイミング発生器３３２、データラッチ３３３、レジスタ３３４と、受信解読装置３３５を含み、インターフェース４８０を介してホストシステム６００からの画像信号ＩＳとバス制御信号ＢＣＳを受ける。
【００３２】
処理装置３３１は、ＡＤＣ３２４に接続され、位置データＰＤを受け、インターフェース４８０を介してホストシステム６００に出力する対応した座標データＣＤを算出する。ホストシステム６００は、座標データＣＤを受け、画像信号に変換し、表示パネルに表示する。分周器３２９は、多機能デジタイザモジュールボード４４０用に、画像信号のクロック信号ＣＬＫＳを適当な周波数を有するスキャンタイミング信号ＳＳ（１００ＫＨｓ〜３００ＫＨｓ）に変換する。
【００３３】
タイミング発生器３３２もまた、クロック信号ＣＬＫＳを受け、基準タイミング信号ＲＴＳを表示パネル４２０に提供する。ホストシステム６００からの画像信号ＩＳの画像データＩＤは、データラッチ３３３とレジスタ３３４によって一時的に保存され、ＤＡＣ３２８に出力され、表示パネル４２０を駆動する。受信解読装置３３５は、ホストシステム６００からのバス制御信号を受け、制御データを発生し、ＤＡＣ３２８、ＡＤＣ３２４と、選択回路３４６を制御する。
【００３４】
よって、本発明のいくつかの実施例は、ディスプレイのコスト、厚さ及び重量を減らすために、単一インターフェースを用いて、図２に示された多機能デジタイザモジュールボード１２０のマイクロコントローラ１２６、ＡＤＣ１２５と、ＬＣＤモジュール１１０のタイミングコントローラ１２７、電圧調整回路１３２と、ＤＡＣ１３１を表示パネルのそれに統合することができる。
【００３５】
図７は、上述のディスプレイシステム４００を用いた電子装置５００を表している。ディスプレイシステム４００は、液晶ディスプレイシステム、ＯＬＥＤディスプレイシステム、または電界放出ディスプレイ（ＦＥＤ）システムであることができるが、これは、本発明を限定するものではない。電子装置５００は、例えば、ＰＤＡ、ノート型パソコン、タブレットコンピュータ、携帯電話、またはディスプレイモニタ装置などであることができる。一般的に、電子装置５００は、ハウジング５１０、図４に示されたディスプレイシステム４００、ＤＣ／ＤＣコンバータ５２０などを含む。また、ＤＣ／ＤＣコンバータ５２０は、ディスプレイシステム４００に選択的に接続され、ディスプレイシステム４００に電力を供給する出力電圧を提供する。
【００３６】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３７】
【図１】デジタイザを有する従来の表示装置の構造図である。
【図２】従来のディスプレイシステムのＬＣＤモジュールとデジタイザモジュールボードの回路図である。
【図３】多機能デジタイザモジュールボードの実施例を表している。
【図４】本発明に基づいた多機能デジタイザモジュールボードを有する表示装置の構造図である。
【図５】ディスプレイシステムの第一実施例のブロック図である。
【図６】タイミングコントローラの実施例を表している。
【図７】本発明の実施例に基づいたディスプレイシステムを組み合わせた電子装置を概略的に表している。
【符号の説明】
【００３８】
１００  ディスプレイシステム
１１０  ＬＣＤモジュール
１１２  インターフェース
１２０  デジタイザモジュールボード
１２２  インターフェース
１２４  発振器
１２６  マイクロコントローラ
１２８  選択回路
１２９  センサアレイ
１３０  ホストシステム
２００  表示装置
２１０  最外層ガラスカバー
２２０  ＬＣＤパネル
２３０  バックライトモジュール
２４０  反射板
２５０  デジタイザセンサボード
２６０  遮蔽膜
２７０  バックフレーム
２８０  位置ポインタ
３００  ディスプレイシステム
３２２  タイミングコントローラ
３２４  アナログデジタルコンバータ（ＡＤＣ）
３２６  電圧調整回路
３２８  デジタルアナログコンバータ（ＤＡＣ）
３２９  分周器
３３１  処理装置
３３２  タイミング発生器
３３３  データラッチ
３３４  レジスタ
３３５  受信解読装置
３４２  デジタイザセンサアレイ
３４４  位置ポインタ
３４６  選択回路
３４８  増幅器
４００  ディスプレイシステム
４１０  最外層ガラスカバー
４２０  ＬＣＤパネル
４３０  バックライトモジュール
４４４  第二保護膜
４４０  多機能デジタイザモジュールボード
４４６  遮蔽膜
４４２  フレキシブルデジタイザセンサボード
４４８  接着材料
４５０  隔離板
４５２  第一保護膜
４５４  反射膜
４５６  最外層保護膜
４６０  バックフレーム
４８０  インターフェース
４８２  制御ユニット
４９０  可撓ケーブル
５００  電子装置
５１０  ハウジング
５２０  ＤＣ／ＤＣコンバータ
６００  ホストシステム
ＳＳ  スキャンタイミング信号
ＩＳ  画像信号
ＰＤ  位置データ
ＦＰＣ  フレキシブルプリント回路板
ＩＤ  画像データ
ＢＣＳ  バス制御信号
ＣＤ  座標データ
ＣＬＫＳ  クロック信号
Ｖｃｏｍ  共通電極
Ｖｓ  垂直スキャン信号
Ｈｓ  水平スキャン信号
ＤＥ  データイネーブル信号
ＣＬＫ  システムクロック
ＲＴＳ  基準タイミング信号
ＣＫＶ  垂直クロック出力
ＣＫＨ  水平クロック出力
ＥＮＢＶ  垂直イネーブル出力
ＥＮＢＨ  水平イネーブル出力
ＣＳＨ  水平スキャン指示
ＣＳＶ  垂直スキャン指示
【図１】
2006190287.tif 000003
【図２】
2006190287.tif 000004
【図３】
2006190287.tif 000005
【図４】
2006190287.tif 000006
【図５】
2006190287.tif 000007
【図６】
2006190287.tif 000008
【図７】
2006190287.tif 000009
【外国語明細書】
2006190287000001.pdf
2006190287000002.pdf
2006190287000003.pdf
2006190287000004.pdf